(57)【特許請求の範囲】
【請求項１】
ジャックに差込むための差込部と、この差込部を保持し前記ジャックに対する挿抜を行うための胴体部とを有するプラグにおいて、前記胴体部の長手方向における両端部それぞれにこの胴体部の外径より大きな径のストッパを設け、前記ストッパで挟まれた胴体部分を滑り止め部材により形成したことを特徴とするプラグ。
【請求項２】
ジャックに差込むための差込部と、この差込部を保持し前記ジャックに対する挿抜を行うための胴体部とを有するプラグにおいて、前記胴体部は、その長手方向における所定の幅の中間部分をこの胴体部の直径より小さく形成し、前記中間部分を滑り止め部材により形成したことを特徴とするプラグ。
【請求項３】
請求項１または２いずれか記載のプラグを含んで構成されることを特徴とするヘッドホン。
【請求項４】
ジャックにプラグを差込んだ状態で、このジャックに差込むプラグの長手方向における中間位置に所定の幅で設けた滑り止め部材により形成した段差部分に、ヘッドホンを載頭するための帯状部分を引掛けて保持することを特徴とするヘッドホンの保持方法。
【発明の詳細な説明】
【０００１】
【発明の属する技術分野】
本発明はプラグおよびヘッドホンならびにヘッドホンの保持方法に関し、特に載頭形ヘッドホンに用いられるプラグおよび載頭形ヘッドホンの保持方法に関する。
【０００２】
【従来の技術】
従来の載頭形ヘッドホンの一例を示す図５を参照すると、一対の受話部１０とこの受話部１０を連結しているベルト１１を有するヘッドホン１３が示されている。この種のヘッドホン１３に用いられるプラグ胴体部１４は段差のない平滑な面で構成されている。使用者がこのヘッドホンを頭から外して保持しようとするときには、特開昭５８−９２１９１号公報に例示されるように、保持アームを設けこれに引掛けて保持している。
【０００３】
【発明が解決しようとする課題】
しかしながら、この種のヘッドホンのベルトを、図５に示すようにプラグ胴体部に引掛けても僅かな振動や外力で落下してしまう問題点があった。また、上述したように、その問題点を解決するためにはヘッドホンのベルトを引掛ける別部品を用意しなければならず、その部品代のコストアップおよび取付け場所を考える必要があり、この改善が望まれている。
【０００４】
本発明の目的は、ヘッドホン保持のための別部品を用いずにヘッドホンを確実に保持可能なプラグおよびヘッドホンならびにヘッドホンの保持方法を提供することにある。
【０００５】
【課題を解決するための手段】
請求項１に記載の本発明は、ジャックに差込むための差込部と、この差込部を保持し前記ジャックに対する挿抜を行うための胴体部とを有するプラグにおいて、前記胴体部の長手方向における両端部それぞれにこの胴体部の外径より大きな径のストッパを設け、前記ストッパで挟まれた胴体部分を滑り止め部材により形成したことを特徴とする。
【０００６】
請求項２に記載の本発明は、ジャックに差込むための差込部と、この差込部を保持し前記ジャックに対する挿抜を行うための胴体部とを有するプラグにおいて、前記胴体部は、その長手方向における所定の幅の中間部分をこの胴体部の直径より小さく形成し、前記中間部分を滑り止め部材により形成したことを特徴とする。
【０００７】
請求項３に記載の本発明は、請求項１または２いずれか記載のプラグを含んで構成されることを特徴とする。
【０００９】
請求項４に記載の本発明は、ジャックにプラグを差込んだ状態で、このジャックに差込むプラグの長手方向における中間位置に所定の幅で設けた滑り止め部材により形成した段差部分に、ヘッドホンを載頭するための帯状部分を引掛けて保持することを特徴とする。
【００１０】
本発明によれば、ヘッドホンのプラグの胴体部にヘッドホン載頭用のベルトを保持するための段差を設けたことにより、ヘッドホンを保持するための別部品が不要となり、単独で容易に保持できる。
【００１１】
【発明の実施の形態】
次に、本発明の実施の形態について図面を参照して説明する。
【００１２】
本発明のプラグは、ジャックに差込むプラグの胴体部の長手方向における中間位置に所定の幅、例えばヘッドホン載頭用のベルトの幅よりやや大きい範囲で段差部分を有するものである。
【００１３】
本発明のプラグの第１の実施の形態を示す図１（ａ）を参照すると、この段差は胴体部の外径より大きな径のストッパを使用することにより形成するものである。プラグ１は、ジャック（図示せず、以下同様）に差込むための差込部２と、この差込部２を保持しジャックに対する挿抜を行うための胴体部３とを有するプラグにおいて、胴体部３の長手方向における両端部それぞれにストッパ４を設けた構成としている。ストッパ４の変形例として図１（ｂ）に示すように、ストッパ６のようにプラグ５の胴体部３の両端に向かって傾斜させて形成してもよい。
【００１４】
また、第２の実施の形態として、プラグ７は、ジャックに差込むための差込部２と、この差込部２を保持しジャックに対する挿抜を行うための胴体部８とを有するプラグにおいて、胴体部８は、その長手方向における所定の幅の中間部分をこの胴体部の直径より小さく形成した構成としてもよいし、あるいは、例えばプラグ胴体部の外径より小さな径の軸を設けることにより段差を形成するようにしてもよい。
【００１５】
さらに、第３の実施の形態として、本発明のプラグは、上述した第１の実施の形態におけるストッパで挟まれた胴体部分を滑り止め部材、例えばゴムなどにより形成した構成としてもよいし、あるいは、上述した第２の実施の形態における胴体部の長手方向における所定の幅の中間部分をこの胴体部の直径より小さく形成し、この中間部分を同様な滑り止め部材により形成した構成とすることも可能である。これにより、ヘッドホンをこのプラグに引掛けたときに滑り落ちにくく、その保持がさらに確実になる。
【００１６】
本発明のヘッドホンは、一対の受話部と、この受話部を連結する載頭用のベルトと、ジャックに差込むプラグの胴体部の長手方向における中間位置に所定の幅で段差部分を有するプラグとを備えるものである。例えば、上述した第１の実施の形態で説明したプラグ１を用いベルト１１をプラグ１の胴体部３に引掛けてヘッドホン９を保持している様子が図３に示されている。同様に、上述した第２の実施の形態で説明したプラグ７を用いベルト１１をプラグ７の胴体部８に引掛けてヘッドホン１２を保持している様子が図４に示されている。
【００１７】
また、本発明のヘッドホンは、上述した第３の実施の形態で説明したプラグを用いることも可能である。
【００１８】
次に、本発明の動作について説明する。図３を参照すると、ジャック（図示せず）にプラグ１を差込んだ状態で、このジャックに差込むプラグの長手方向における中間位置に所定の幅で設けた段差部分，つまり胴体部３に、ヘッドホン９のベルト１１を引掛けて保持する。すなわち、ヘッドホン９のベルト１１を胴体部３に掛け、プラグ挿入方向の力を加えると胴体部３に対して段差のあるストッパに突き当たり、ヘッドホンの落下を防止することができる。
【００１９】
【発明の効果】
以上説明したように本発明によれば、ヘッドホンのプラグの胴体部にヘッドホン載頭用のベルトを保持するための段差を設けたことにより、ヘッドホンを保持するための別部品が不要となり、単独で容易にヘッドホンを保持できるので、結果的に部品代の削減、また、ヘッドホンの落下による破損、故障の防止効果が期待できる。
【図面の簡単な説明】
【図１】（ａ）は本発明のプラグの第１の実施の形態の示す図である。（ｂ）は（ａ）におけるストッパの変形例を示す図である。
【図２】本発明のプラグの第２の実施の形態の示す図である。
【図３】本発明の第１の実施の形態のプラグを用いてヘッドホンを保持したときの様子を示す図である。
【図４】本発明の第２の実施の形態のプラグを用いてヘッドホンを保持したときの様子を示す図である。
【図５】従来のプラグを用いてヘッドホンを保持したときの様子を示す図である。
【符号の説明】
１，５，７    プラグ
２    差込部
３，８    胴体部
４，６    ストッパ
９，１２    ヘッドホン
１０    受話部
１１    ベルト
【図１】
0003555524.tif 000002
【図２】
0003555524.tif 000003
【図３】
0003555524.tif 000004
【図４】
0003555524.tif 000005
【図５】
0003555524.tif 000006